(57)【要約】【課題】本発明は、光部材を保護できるＵＳＢ光コネクタと、前記光コネクタと接続する相手プラグと、を提供することを目的とする。【解決手段】本発明の光コネクタは、相手プラグに対応する収納スペースが形成される。前記光コネクタは、前壁及び収納溝を含む基部と、前記基部から前向きに突出し、且つ前端面を含む舌板と、を有する絶縁性本体と、前記絶縁性本体に固着される複数の導電端子と、絶縁性本体の収納溝に収納される光部材と、前記収納スペースに位置し、その前端が前記光部材の前端を越えて延在する保護部材と、を備える。前記収納スペースは、前記舌板の前端面と前記保護部材の前端との間に形成される第１挿入深度と、前記舌板の前端面と前記基部の前壁の間に形成され、且つ前記第１挿入深度より大きい第２挿入深度と、を有する。本発明の光コネクタと接続する相手プラグには、前記保護部材に対応する一対の係合溝が形成される。【選択図】図１１
2011100123.tif 000002
【特許請求の範囲】
【請求項１】
相手プラグに対応する収納スペースが形成される光コネクタであって、
前壁及び収納溝を含む基部と、前記基部から前向きに突出し、且つ前端面を含む舌板と、を有する絶縁性本体と、
前記絶縁性本体に固着される複数の導電端子と、
前記絶縁性本体の前記収納溝に収納される光部材と、
前記収納スペースに位置し、その前端が前記光部材の前記前端を越えて延在する保護部材と、
を備え、
前記収納スペースは、前記舌板の前記前端面と前記保護部材の前記前端との間に形成される第１挿入深度と、前記舌板の前記前端面と前記基部の前記前壁の間に形成され、前記第１挿入深度より大きい第２挿入深度と、を有することを特徴とする光コネクタ。
【請求項２】
前記光部材には一対の固定柱が設けられ、前記光部材の前記前端が前記固定柱の前端であり、前記第１挿入深度がマイクロカードに対応し、前記マイクロカードが前記保護部材に阻止され、固定柱と接触せず、前記第２挿入深度が前記相手プラグに対応し、前記収納スペースは、ＵＳＢ３．０に対応して前記第１挿入深度より小さい第３挿入深度と、ＵＳＢ２．０に対応して前記第３挿入深度より小さい第４挿入深度と、を含むことを特徴とする請求項１に記載の光コネクタ。
【請求項３】
前記保護部材は、前記絶縁性本体の前記基部の前記前壁から前向きに突出する一対の保護柱であることを特徴とする請求項１に記載の光コネクタ。
【請求項４】
前記光コネクタは、前記絶縁性本体を遮蔽し、天板と、底板と、一対の側板と、を含むハウジングを有し、前記保護部材が、前記ハウジングに設けられる一対の保護片であることを特徴とする請求項１に記載の光コネクタ。
【請求項５】
前記各保護片は、前記ハウジングの前記天板から離れて前記収納スペースに向かって傾斜して折り曲げられることによって製造されることを特徴とする請求項４に記載の光コネクタ。
【請求項６】
前記各保護片は、前記ハウジングの前記天板と前記側板との連接部分が前記収納スペースに向かって窪むことによって、Ｌ字状に製造されることを特徴とする請求項４に記載の光コネクタ。
【請求項７】
保護部材を有する光コネクタに挿入されるプラグであって、
舌板が設けられる絶縁性本体と、
前記絶縁性本体に挿入される複数の導電端子と、
前記絶縁性本体に装入される光部材と、
を備え、
前記絶縁性本体の前記舌板には、前記舌板の前面から凹んで、前記光コネクタの保護部材に対応する一対の係合溝が形成されることを特徴とするプラグ。
【請求項８】
前記一対の係合溝が、前記絶縁性本体の両側に配置されており、前記プラグには、前記一対の係合溝に対応する一対の切欠けが形成されることを特徴とする請求項７に記載のプラグ。
【発明の詳細な説明】
【技術分野】
【０００１】
本発明は、光コネクタに関し、特に、光部材を含むＵＳＢ（Ｕｎｉｖｅｒｓａｌ  Ｓｅｒｉａｌ  Ｂｕｓ）規格に準拠した光コネクタ及びその相手プラグに関するものである。
【背景技術】
【０００２】
従来技術の回路基板に半田接続されるＵＳＢコネクタは、絶縁性本体と、絶縁性本体に固着される複数の導電端子と、絶縁性本体を遮蔽するハウジングと、を備える。絶縁性本体は、本体部と、本体部から突出する舌板と、を備える。前記絶縁性本体には、収納溝が形成される。前記光部材には、一対の突出柱が設けられる。ＵＳＢ２．０プラグ或いはＵＳＢ３．０プラグが挿入される時、一対の突出柱は、対応するプラグに位置決めされる。
【先行技術文献】
【特許文献】
【０００３】
【特許文献１】米国公開２００９−００９３１３６号明細書
【発明の概要】
【発明が解決しようとする課題】
【０００４】
カードのような対応しないコネクタが前記ＵＳＢコネクタに誤挿入される時、光部材の突出柱が破損し易い。
【０００５】
そこで、本発明は、上述される従来技術の問題に鑑み、光部材を保護できるＵＳＢ光コネクタと、前記光コネクタと接続する相手プラグと、を提供することを目的とする。
【課題を解決するための手段】
【０００６】
前記目的を達成するために、本発明の光コネクタは、相手プラグに対応する収納スペースが形成される。前記光コネクタは、前壁及び収納溝を含む基部と、前記基部から前向きに突出し、且つ前端面を含む舌板と、を有する絶縁性本体と、前記絶縁性本体に固着される複数の導電端子と、絶縁性本体の収納溝に収納される光部材と、前記収納スペースに位置し、その前端が前記光部材の前記前端を越えて延在する保護部材と、を備える。前記収納スペースは、前記舌板の前記前端面と前記保護部材の前記前端との間に形成される第１挿入深度と、前記舌板の前記前端面と前記基部の前記前壁との間に形成され、前記第１挿入深度より大きい第２挿入深度と、を有する。本発明の光コネクタと接続する相手プラグには、前記保護部材に対応する一対の係合溝が形成される。
【発明の効果】
【０００７】
従来技術と比べると、本発明は以下の長所を有する。マイクロカード３００は、本発明光コネクタに誤挿入される時、保護片４６に阻止され、光部材と接触しない。それによって、光部材が保護される。光コネクタに対応する相手プラグのみ、係合溝と保護部材との係合によって、接続できる。
【図面の簡単な説明】
【０００８】
【図１】本発明の第１実施形態の光コネクタの組立斜視図である。
【図２】図１に示す光コネクタの別の角度から見た組立斜視図である。
【図３】図１に示す光コネクタの部分の分解斜視図である。
【図４】図３に示す光コネクタのハウジングが取り付けられない時の光コネクタの俯瞰図である。
【図５】図１に示す光コネクタの分解斜視図である。
【図６】図５に示す光コネクタの別の角度から見た分解斜視図である。
【図７】図１に示す光コネクタに挿入される相手プラグの組立斜視図である。
【図８】図７に示す相手プラグの部分の分解斜視図である。
【図９】図７に示す相手プラグの分解斜視図である。
【図１０】図９に示す相手プラグの別の角度から見た分解斜視図ある。
【図１１】図７に示すシェルが取り付けられない相手プラグは図３に示すハウジングが取り付けられない光コネクタに挿入される斜視図である。
【図１２】マイクロカードはハウジングが取り付けられない時の光コネクタに挿入される斜視図である。
【図１３】本発明の第２実施形態の光コネクタの組立斜視図である。
【図１４】図１３に示す光コネクタの別の角度から見た組立斜視図である。
【図１５】図１３に示す光コネクタの部分の分解斜視図である。
【図１６】本発明の第３実施形態の光コネクタの組立斜視図である。
【図１７】図１６に示す光コネクタの部分の分解斜視図である。
【発明を実施するための形態】
【０００９】
図１〜図６を参照すると、本発明の第１実施形態の光コネクタ１００は、ＵＳＢソケットである。前記光コネクタ１００と接続する相手コネクタは、ＵＳＢ２．０、或いはＵＳＢ３．０、或いは図７〜図１０に示されるＵＳＢ相手プラグ２００である。
【００１０】
光コネクタ１００は、絶縁性本体１と、前記絶縁性本体１に装着される複数の導電端子２と、前記絶縁性本体１に取り付けられる第１光部材３と、前記絶縁性本体１を遮蔽するハウジング４とを備える。複数の導電端子２は、五つの第１端子２１と，五つの第２導電端子２２と、を含む。四つの第２導電端子２２が、ＵＳＢ２．０Ａのプラグと電気的に接続できる。五つの第１導電端子２１と四つの第２導電端子２２とが、ＵＳＢ３．０Ａのプラグと電気的に接続できる。
【００１１】
絶縁性本体１は、第１本体部１０と第２本体部１１とを備える。第１本体部１０は、第１基部１２と、前記第１基部１２から前向きに突出する第１舌板１３とを含む。第１基部１２は、前壁１２１と、天壁１２２と、底壁１２３と、一対の側壁１２４とを有する。前記第１基部１２には、前記前壁１２１に貫通する収納溝１２５が形成される。前記収納溝１２５の下表面には、一対のスリット１２５１が形成される。前記一対の収納溝１２５の両側には、前記前壁１２１から前向きに突出する一対の保護柱１２６が設けられる。第１基部１２には、複数の凸状部片１２７が設けられる。
【００１２】
前記第１舌板１３には、収納部１４が形成される。第１舌板１３の前端には、前端面１３０が形成される。第１舌板１３の前端には、前端面１３０に隣接する複数の凹所１３１が形成される。複数の凹所１３１の間には、複数のリブ１３２が設けられる。
【００１３】
第２本体部１１には、第２基部１６と、前記第２基部１６から前向きに突出する第２舌板１７と、を備える。第２舌板１７の上表面には、複数の第１端子溝１７１が形成され、第２舌板１７の下表面には、複数の第２端子溝１７２が形成される。第２基部１６の前表面には、前記第２端子溝１７２に貫通する複数の第２固定溝１６２が形成され、第２基部１６の後表面には、前記第１端子溝１７１に貫通する複数の第１固定溝１６１が形成される。
【００１４】
図５に示すように、各第１導電端子２１は、第１主体部２１２と、第１主体部２１２の前端に設けられる平板状の第１接触部２１１と、第１半田接続部２１３と、を有する。第１主体部２１２は、第１水平部２１２１と、第１垂直部２１２２と、を有する。
【００１５】
前記第２端子２２は、第２主体部２２２と、第２主体部２２２の前端に設けられる弾性の第２接触部２２１と、第２半田接続部２２３と、を有する。第２主体部２２２は、第２水平部２１２１と、第２垂直部２２２２とを有する。
【００１６】
第１光部材３は、第１ベース３１と、第１ベース３１の前部に設けられる一対の第１レンズ３１１と、第１ベース３１から前向きに突出する一対の固定柱３２と、第１ベース３１の両側に設けられる一対の弾性ビーム３１２と、一対の鉤部３１３と、を備える。
【００１７】
ハウジング４は金属材料によって製造される。ハウジング４は、天板４１と、底板４２と、一対の側板４３と、を有する。ハウジング４には、複数の弾性片４４が設けられる。側板４３には、前記絶縁性本体１の凸状部片１２７に対応する複数の凹口４５が形成される。
【００１８】
図１〜図６に示すように、電気コネクタ１００を組み立てる場合、五つの第１端子２１は、前記第２本体部１１の第２端子溝１７２及び第２固定溝１６２に挿入される。四つの第２導電端子２２は、第２本体部１１の第２端子溝１７１及び第１固定溝１６１に挿入される。第１接触部２１１が、第２接触部２２１の前方に配置される。第２本体部１１が第１本体部１０の第１舌板１３の収納部１４に装着される。第１端子２１の第１接触部２１１は、第１本体部１０の凹所１３１に収納される。第１光部材３は、絶縁性本体１の収納溝１２５に収納される。第１光部材３の鉤部３１３が、前記第１本体部１０のスリット１２５１と係合し、前記固定柱３２が、絶縁性本体１の前壁１２１から離れて前向きに突出する。前記保護柱１２６の前端１２６０は、前記光部材３の固定柱３２を越えて延在する。最後、ハウジング４は、絶縁性本体１に遮蔽する。第１舌板１３とハウジング４との間には、収納スペース１０１が形成される。
【００１９】
図４を参照すると、保護柱１２６の前端１２６０と第１舌板１３の前端面１３０との間の距離は、第１距離Ｘである。第１本体部１０の前壁１２１と第１舌板１３の前端面１３０との間の距離は、第１距離Ｘより大きい第２距離Ｙである。ＵＳＢ３．０プラグの挿入深さが第１距離Ｘより小さい第３距離Ｚであり、ＵＳＢ２．０プラグの挿入深さが第３距離Ｚより小さい第４距離Ｌである。
【００２０】
図７〜図１０を参照すると、ＵＳＢ相手プラグ２００は、第３本体部５１と、第４本体部５２と、第３端子５４１と、第４端子５４２と、被覆板５３と、第２光部材６と、バネ体７と、蓋板８と、第１シェル９１と、第２シェル９２と、を備える。
【００２１】
第３本体部５１は、第３表面５３３を有する。第３本体部５１は、第３基部５１３と、第３基部５１３から突出する第３舌板５１４と、を有する。第３本体部５１には、第３表面５３３から凹む収納溝５１４１と、前記収納溝５１４１と貫通する凹部５１９とが形成される。前記凹部５１９には、凹溝５１６と、凹溝５１６に位置する固定柱５１６１と、複数の第１スロット５１７と、一対の係合孔５１９１と、が設けられる。収納溝５１４１には、係止部５１４５が設けられる。第３基部５１３の第３表面５３３には、前記第１スロット５１７と貫通する複数の第２スロット５１８が形成される。第３舌板５１４の両側には、一対の係合溝５１４２が形成される。
【００２２】
第４本体部５２には、複数の第４端子溝５２１が形成される。蓋板８には、複数の係合柱８１が設けられる。
【００２３】
第２光部材６は、可動部６１と、ファイバー６２と、を備える。可動部６１には、第２ベース６１１と、第２ベース６１１の前端に設けられる一対の第２レンズ６１２と、第２レンズ６１２の両側に形成される一対の固定孔６１５と、第２ベース６１１の後端から突出する突出部６１４とを有する。各ファイバー６２には、接続部６２１と、前記第１スロット５１７に保持されるネック部６２２と、第２スロット５１８に保持される湾曲部６２３と、ケーブルと電気的に接続する尾部６２４と、を備える。第１シェル９１には、一対の切欠け９１２が形成される。
【００２４】
相手プラグ２００を組み立てる時、先ず、四つの第４端子５４２が第３本体部５１にインサートモールドによって成型される。四つの第３端子５４１は、第４本体部５２の第４端子溝５２１に挿入される。被覆板５３は、第４本体部５２を被覆する。第４本体部５２が第３本体部５１に装入される。第２光部材６の第２ベース６１１は、第３本体部５１の収納溝５１４１に収納される。ファイバー６２は、第１スロット５１７及び第２スロット５１８に挿入される。バネ体７は、第３本体部５１の固定柱５１６１及び第２光部材６の可動部６１の突出部６１４に固着される。蓋板８は、凹部５１９に固着される。蓋板８の係合柱８１は、係合孔５１９１に係合する。第１シェル９１及び第２シェル９２は、第３本体部５１を遮蔽する。第１シェル９１の切欠け９１２は、第３舌板５１４の係合溝５１４２に対応する。
【００２５】
図４及び図１１に示すように、相手プラグ２００が光コネクタ１００に挿入される時、相手プラグ２００の第３舌板５１４は、光コネクタ１００の収納スペース１０１に収納される。相手プラグ２００の挿入深さは、第２距離Ｙである。光コネクタ１００の固定柱３２は、相手プラグ２００の固定孔に挿入される。光コネクタ１００の保護柱１２６は、相手プラグ２００の第３本体部５１の係合溝５１４２と、第１シェル９１の切欠け９１２と係合する。
【００２６】
図１２に示すように、ＵＳＢプラグ３０１を含むマイクロカード（Ｍｉｃｒｏ−Ｃａｒｄ）３００が光コネクタ１００に誤挿入される時、保護柱１２６に阻止され、固定柱３２と接触しない。
【００２７】
図１３〜図１５に示すように、第２実施形態の光コネクタ１００’の絶縁性本体１’は、保護柱１２６を含まない。第２実施形態の光コネクタ１００’のハウジング４’は、金属材料によって製造される。ハウジング４’は、天板４１’と、底板４２’と、一対の側板４３’とを有する。ハウジング４’には、複数の弾性片４４’が設けられる。側板４３’には、複数の凹口４５’が形成される。ハウジング４’の天板４１’には、天板４１’から離れて絶縁性本体１’に向かって傾斜して折り曲げられる一対の保護片４６’が設けられる。保護片４６’の前表面４６１’は、第１光部材３’の固定柱３２’を越えて延在する。これにより、マイクロカード３００は、誤挿入される時、保護片４６’に阻止され、第１光部材３’の固定柱３２’と接触しない。それによって、固定柱３２’が保護される。第２実施形態の光コネクタ１００’の他の構造は、第１実施形態の光コネクタ１００の対応する構造と類似である。
【００２８】
図１６〜図１７に示すように、第３実施形態の光コネクタ１００’’のハウジング４’’は、金属材料によって製造される。ハウジング４’’は、天板４１’’と、底板４２’’と、一対の側板４３’’と、を有する。ハウジング４’’には、複数の弾性片４４’’が設けられる。側板４３’’には、複数の凹口４５’’が形成される。ハウジング４’’の天板４１’’には、天板４１’’と側板４３’’との連接部分が天板４１’’と側板４３’’とから窪んで絶縁性本体１’’に向かって折り曲げられるＬ字状の一対の保護片４６’’が設けられる。保護片４６’’の前表面４６１’’は、第１光部材３’’の固定柱３２’’を越えて延在する。これにより、マイクロカード３００は、誤挿入される時、保護片４６’’に阻止され、第１光部材３’’の固定柱３２’’と接触しない。それによって、固定柱３２’’が保護される。第３実施形態の光コネクタ１００’’の他の構造は、第２実施形態の光コネクタ１００’の対応する構造と類似である。
【００２９】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００３０】
１００  光コネクタ
１  絶縁性本体
１０  第１本体部
１０１  収納スペース
１１  第２本体部
１２  第１基部
１２１  前壁
１２２  天壁
１２３  底壁
１２４  側壁
１２５  収納溝
１２５１  スリット
１２６  保護柱
１２６０  前端
１２７  凸状部片
１３  第１舌板
１３０  前端面
１３１  凹所
１３２  リブ
１４  収納部
１６  第２基部
１６１  第１固定溝
１６２  第２固定溝
１７  第２舌板
１７１  第１端子溝
１７２  第２端子溝
２  導電端子
２１  第１端子
２１１  第１接触部
２１２  第１主体部
２１２１  第１水平部
２１２２  第１垂直部
２１３  第１半田接続部
２２  第２端子
２２１  第２接触部
２２２  第２主体部
２２２１  第２水平部
２２２２  第２垂直部
２２３  第２半田接続部
３  第１光部材
３１  第１ベース
３１１  第１レンズ
３１２  弾性ビーム
３１３  鉤部
３２  固定柱
４  ハウジング
４１  天板
４２  底板
４３  側板
４４  弾性片
４５  凹口
２００  相手プラグ
５１  第３本体部
５１１  第３表面
５１３  第３基部
５１４  第３舌板
５１４１  収納溝
５１４２  係合溝
５１４５  係止部
５１６  凹溝
５１６１  固定柱
５１７  第１スロット
５１８  第２スロット
５１９  凹部
５１９１  係合孔
５２  第４本体部
５２１  第４端子溝
５３  被覆板
５４１  第３端子
５４２  第４端子
６  第２光部材
６１  第２可動部
６１１  第２ベース
６１２  第２レンズ
６１４  突出部
６１５  固定孔
６２  ファイバー
６２１  接続部
６２２  ネック部
６２３  湾曲部
６２４  尾部
７  バネ体
８  蓋板
８１  係合柱
９１  第１シェル
９１２  切欠け
９２  第２シェル
３００  マイクロカード
３０１  ＵＳＢプラグ
１００’  光コネクタ
１’  絶縁性本体
１２１’  前壁
３’  第１光部材
３２’  固定柱
４’  ハウジング
４１’  天板
４２’  底板
４３’  側板
４６’  保護片
４６１’  前表面
１００’’  光コネクタ
１’’  絶縁性本体
１２１’  前壁
３’’  第１光部材
３２’’  固定柱
４’’  ハウジング
４１’’  天板
４２’’  底板
４３’’  側板
４６’’  保護片
４６１’’  前表面
【図１】
2011100123.tif 000003
【図２】
2011100123.tif 000004
【図３】
2011100123.tif 000005
【図４】
2011100123.tif 000006
【図５】
2011100123.tif 000007
【図６】
2011100123.tif 000008
【図７】
2011100123.tif 000009
【図８】
2011100123.tif 000010
【図９】
2011100123.tif 000011
【図１０】
2011100123.tif 000012
【図１１】
2011100123.tif 000013
【図１２】
2011100123.tif 000014
【図１３】
2011100123.tif 000015
【図１４】
2011100123.tif 000016
【図１５】
2011100123.tif 000017
【図１６】
2011100123.tif 000018
【図１７】
2011100123.tif 000019